(57)【要約】      （修正有）【課題】飲食店等において麺類は割り箸で食しているが、大量に使い捨てされ自然破壊の要因の一つとも懸念されており、その為に、ラーメンスプーンなるものが使用され、また、カップ麺等で時はプラスチックのフォークを使用しているが、麺が滑り落ち易く食べにくい。【解決手段】把持杆２と並設された複数本のフォーク部３とを接続部４を介して一体に接続したフォーク１であって、複数本のフォーク部３に複数の波形状を形成したものであり、更に、複数本のフォーク部３に複数の波形状と大きな一つの湾曲形状３ａとを形成したものであり、更には、複数本のフォーク部３の先端辺に直杆状の先端部を形成したものであり、加えて、接続部４を凹陥形状のスプーン部に形成したものであり、更に、把持杆２をストレート形状としたものであり、更には、把持杆２の基端に係止め部を形成した。【選択図】図１
0003141583.tif 000002
【実用新案登録請求の範囲】
【請求項１】
把持杆と並設された複数本のフォーク部とを接続部を介して一体に接続したフォークであって、前記複数本のフォーク部に複数の波形状を形成したことを特徴とするフォーク。
【請求項２】
把持杆と並設された複数本のフォーク部とを接続部を介して一体に接続したフォークであって、前記複数本のフォーク部に複数の波形状と大きな一つの湾曲形状とを形成したことを特徴とするフォーク。
【請求項３】
前記複数本のフォーク部の先端辺に直杆状の先端部を形成したことを特徴とする請求項１又は請求項２に記載のフォーク。
【請求項４】
前記接続部を凹陥形状のスプーン部に形成したことを特徴とする請求項１〜項３のいづれか一項に記載のフォーク。
【請求項５】
前記把持杆をストレート形状としたことを特徴とする請求項１〜項４のいづれか一項に記載のフォーク。
【請求項６】
前記把持杆の基端に係止め部を形成したことを特徴とする請求項１〜項５のいづれか一項に記載のフォーク。
【考案の詳細な説明】
【技術分野】
【０００１】
本考案は、食物を食すためのフォークに関するものであり、更に詳細には、主として、ラーメン、そーめん、ビーフン、フォー、スパゲティ等の麺類を食べるためのフォークに関するものである。
【背景技術】
【０００２】
従来、飲食店等においてのラーメン、そーめん、ビーフン、フォー、スパゲティ等の麺類は割り箸を用いて食しているが、割り箸は木材で使い捨てであり、大量に使用されることから自然破壊の要因の一つとも懸念されている。
【０００３】
その為に、近年ではラーメンスプーンなるものがラーメン店で使用されており、従来のスプーンの先端に従来のフォークが一体に接続させているものであるが麺が滑り落ち易く、また、カップ麺等を食する時はプラスチックのフォークを使用しているが、麺が滑り落ちて食べにくいものである。
【０００４】
その為、例えば、主に洋食の食器具であるフォークを、麺類の食用に適した食器具となる為に、素材を竹等の非金属材料を使用する事に依り、問題を解決し、なおかつ先端に溝を切る事に依り、よりいっそう操作性を向上させたもの（特許文献１参照）や、柄（１）の先に椀状部（２）を設け、椀状部（２）の先にフォーク状部（３） を、設けたもの（特許文献２参照）や、フォーク串部をスプーンの中心部からやや先端寄りを起点とする外側エッジに沿った数本の曲線形で形成することでフォーク串部の長さを確保するとともに、スプーンの物を掬い溜める機能を維持し実用性を図るもの（特許文献３参照）が開示されている。
【特許文献１】実開平６−５８７７２号公報
【特許文献２】実開平７−４３８２３号公報
【特許文献３】特開２００５−２２４５５２号公報
【考案の開示】
【考案が解決しようとする課題】
【０００５】
然し乍ら、特許文献１記載のものは、素材を竹等の非金属材料とし、先端に溝を切ったものであるが、溝に麺が入り込むことは少なく、溝のないものよりいくらか滑りにくく成った程度のものであり、特許文献２〜３記載のものは、ラーメンスプーンであり、フォーク部で麺類を掬っても滑り落ち易いものである。
【課題を解決するための手段】
【０００６】
前記課題に鑑み、鋭意研鑽の結果、把持杆と並設された複数本のフォーク部とを接続部を介して一体に接続したフォークであって、複数本のフォーク部に複数の波形状を形成したものであり、更に、複数本のフォーク部に複数の波形状と大きな一つの湾曲形状とを形成したものであり、更には、複数本のフォーク部の先端辺に直杆状の先端部を形成したものであり、加えて、接続部を凹陥形状のスプーン部に形成したものであり、更に、把持杆をストレート形状としたものであり、更には、把持杆の基端に係止め部を形成したものである。
【考案の効果】
【０００７】
本考案のフォークは、複数本のフォーク部に複数の波形状を形成したことにより、麺が絡み易く滑りにくいものであり、複数本のフォーク部の先端辺を直杆状の先端部に形成したことにより、具等の固形物を刺して使用できるもので、加えて、接続部を凹陥形状のスプーン部に形成したことにより、スープを掬って飲めるもので、更に、把持杆をストレート形状としたことにより、多量に重ねて収納しても嵩張らず、また、飲食店の箸筒に多量に収容することができ、更には、把持杆の基端に係止め部を形成したことにより、どんぶり等の大きな食器に置いてもスープの中に水没する恐れもないもので、使い勝手が良く、極めて有効的で実用性の高い考案である。
【考案を実施するための最良の形態】
【０００８】
以下、本考案のフォークの実施例の図面を用いて詳細に説明すると、図１は本考案のフォークの実施例の麺を掛けた状態の斜視図であり、図２は本考案のフォークの実施例のカップの底で麺を掛けた状態の斜視図であり、図３は本考案のフォークの実施例の固形物を刺した状態の斜視図であり、図４は本考案のフォークの実施例の平面図と側面図であり、図５は本考案のフォークの次実施例の平面図と側面図であり、図６は本考案のフォークの他実施例の平面図と側面図であり、図７は本考案のフォークのその他の実施例の平面図と側面図であり、図８は本考案のフォークの更にその他の実施例の平面図と側面図であり、図９は本考案のフォークを食器に置いた状態の斜視図である。
【０００９】
本考案は、食物を食すためのフォーク１に関するものであり、更に詳細には、主として、ラーメン、そーめん、ビーフン、フォー、スパゲティ等の麺類を食べるためのフォーク１に関するものであり、請求項１に記載のフォークは、把持杆２と並設された複数本のフォーク部３とを接続部４を介して一体に接続したフォーク１であって、前記複数本のフォーク部３に複数の波形状を形成したことを特徴とするものである。
【００１０】
更に、請求項２に記載のフォークは、把持杆２と並設された複数本のフォーク部３とを接続部４を介して一体に接続したフォーク１であって、前記複数本のフォーク部３に複数の波形状と大きな一つの湾曲形状３ａとを形成したことを特徴とするものである。
【００１１】
更には、請求項３に記載のフォークは、請求項１又は請求項２に記載のフォークにおいて、前記複数本のフォーク部３の先端辺に直杆状の先端部３ｂを形成したことを特徴とするものである。
【００１２】
加えて、請求項４に記載のフォークは、請求項１〜項３のいづれか一項に記載のフォークにおいて、前記接続部４を凹陥形状のスプーン部４ａに形成したことを特徴とするものである。
【００１３】
更に、請求項５に記載のフォークは、請求項１〜項４のいづれか一項に記載のフォークにおいて、前記把持杆２をストレート形状としたことを特徴とするものである。
【００１４】
更には、請求項６に記載のフォークは、請求項１〜項５のいづれか一項に記載のフォークにおいて、前記把持杆２の基端に係止め部２ａを形成したことを特徴とするものである。
【実施例】
【００１５】
即ち、本考案のフォーク１は、図１〜４に図示するように、把持杆２と並設された複数本のフォーク部３とを接続部４を介して一体に接続したものであり、使い捨てタイプのものは製造単価が廉価なプラスチックで一体に形成し、洗浄して再使用するものは金属で一体に形成することが望ましいものである。
【００１６】
そして、フォーク１の先端に備えた複数本のフォーク部３に複数の波形状を形成したものであり、複数の波形状は３〜４つ程度が好適なものであるが、その数は問わないものである。
【００１７】
次に、複数本のフォーク部３に複数の波形状と大きな一つの湾曲形状３ａとを形成したものであり、図５に図示するように、複数本のフォーク部３を３本として真ん中のフォーク部３のみに複数の波形状を形成し、両側の２本のフォーク部３は大きな一つの湾曲形状３ａに形成したものであり、図６に図示するものは、複数本のフォーク部３を３本として両側の２本のフォーク部３に複数の波形状を形成し、真ん中のフォーク部３は大きな一つの湾曲形状３ａに形成したものであり、スパゲティのような硬め麺を絡めた時に外れにくく成ることを防止すると共に、具も刺し易くし、また、一般のフォークとしての使用を可能としたものである。
【００１８】
次いで、図３及び図４に図示するものは、複数本のフォーク部３の先端辺を直杆状の先端部３ｂに形成したもので、ラーメン等の中に入っている具等の固形物Ｂを刺して使用するのに好適なものである。
【００１９】
更に、図７及び図８に図示するように、フォーク１のフォーク部３と把持杆２との間の接続部４を凹陥形状のスプーン部４ａに形成したものであり、フォーク部３には複数の波形状に形成しているために、麺類Ａは滑ることなく絡めて掬い上げることを可能とすると共に、スプーン部４ａでスープを掬って飲むことも可能なものである。
【００２０】
更には、図５に図示するように、把持杆２をストレート形状としたもので、従来の箸のように持ち、箸感覚で違和感なく使用でき、ストレート形状の把持杆２は断面矩形状にすることにより、より持ち易くでき、また、多量のフォーク１を重ねて収納する時や、飲食店等に置いて箸筒に入れる時、嵩張ることなく多量に、且つ、整然と収容できるものである。また、途中に指の位置を示す模様等を入れることも可能なものである。
【００２１】
また、図６に図示するように、把持杆２の基端に係止め部２ａを形成したものであり、図９に図示するように、どんぶりのような大きな食器Ｃに置いた場合、把持杆２の基端に係止め部２ａが食器Ｃの縁部に係止してスープの中に浸漬されることが無くなるものである。
【産業上の利用可能性】
【００２２】
本考案のフォークは、複数本のフォーク部に複数の波形状を形成したことにより、麺が絡み易く滑りにくいものであり、複数本のフォーク部の先端辺を直杆状に形成したことにより、具等を刺し易いもので、加えて、接続部４を凹陥形状のスプーン部に形成したことにより、スープを掬って飲めるもので、更に、把持杆をストレート形状としたことにより、収納が容易で、更には、把持杆の基端に係止め部を形成したことにより、どんぶり等の食器に置いてもスープの中に水没する恐れもないもので、使い勝手が良いフォーク部を提供するものである。
【図面の簡単な説明】
【００２３】
【図１】図１は本考案のフォークの実施例の麺を掛けた状態の斜視図である。
【図２】図２は本考案のフォークの実施例のカップの底で麺を掛けた状態の斜視図である。
【図３】図３は本考案のフォークの実施例の固形物を刺した状態の斜視図である。
【図４】図４は本考案のフォークの実施例の平面図と側面図である。
【図５】図５は本考案のフォークの次実施例の平面図と側面図である。
【図６】図６は本考案のフォークの他実施例の平面図と側面図である。
【図７】図７は本考案のフォークのその他の実施例の平面図と側面図である。
【図８】図８は本考案のフォークの更にその他の実施例の平面図と側面図である。
【図９】図９は本考案のフォークを食器に置いた状態の斜視図である。
【符号の説明】
【００２４】
１      フォーク
２      把持杆
２ａ    係止め部
３      フォーク部
３ａ    湾曲形状
３ｂ    先端部
４      接続部
４ａ    スプーン部
Ａ      麺類
Ｂ      固形物
Ｃ      食器
【図１】
0003141583.tif 000003
【図２】
0003141583.tif 000004
【図３】
0003141583.tif 000005
【図４】
0003141583.tif 000006
【図５】
0003141583.tif 000007
【図６】
0003141583.tif 000008
【図７】
0003141583.tif 000009
【図８】
0003141583.tif 000010
【図９】
0003141583.tif 000011